(57)【要約】【課題】  簡単な構造で、鍵タッチ感を音高に応じて良好に変えることができる鍵盤装置を提供する。【解決手段】  鍵盤シャーシ１上に並列に配列され、押鍵操作に応じてそれぞれ上下方向に回転する複数の鍵２と、これら複数の鍵２の押鍵操作に応じてそれぞれ弾性変形してスイッチ動作する複数のスイッチ部１５と、これら複数のスイッチ部１５の各弾性変形量を複数の鍵の音高に応じてそれぞれ規制する複数の変形規制部２１と、を備えている。従って、複数の鍵２の押鍵操作に応じて複数のスイッチ部１５がそれぞれ弾性変形してスイッチ動作する際に、複数の変形規制部２１によって複数のスイッチ部１５の各弾性変形量を各鍵２の音高に応じてそれぞれ規制することができるので、複数の鍵２の各鍵荷重を複数の鍵２の音高に応じて変えることができる。【選択図】        図２
2015172678.tif 000002
【特許請求の範囲】
【請求項１】
鍵盤シャーシと、
前記鍵盤シャーシ上に並列に配列され、押鍵操作に応じてそれぞれ上下方向に回転する複数の鍵と、
前記複数の鍵の押鍵操作に応じてそれぞれ弾性変形してスイッチ動作する複数のスイッチ部と、
前記複数のスイッチ部の各弾性変形量を前記複数の鍵が属する音域に応じてそれぞれ規制する複数の変形規制部と、
を備えていることを特徴とする鍵盤装置。
【請求項２】
請求項１に記載の鍵盤装置において、前記複数のスイッチ部は、弾性変形可能な複数のドーム部を有し、前記複数のドーム部が前記鍵盤シャーシに取り付けられたスイッチ基板上に前記複数の鍵それぞれに対応して設けられていることを特徴とする鍵盤装置。
【請求項３】
請求項２に記載の鍵盤装置において、前記複数のスイッチ部における前記各ドーム部の周囲には、前記複数の変形規制部が前記複数の鍵が属する音域に応じてそれぞれ設けられていることを特徴とする鍵盤装置。
【請求項４】
請求項１〜請求項３のいずれかに記載の鍵盤装置において、前記鍵盤シャーシには、前記複数のスイッチ部がそれぞれ挿入されて配置される複数のスイッチ孔が設けられており、前記複数の変形規制部は、前記複数のスイッチ孔の各内周壁であることを特徴とする鍵盤装置。
【請求項５】
請求項４に記載の鍵盤装置において、前記複数のスイッチ孔の前記各内周壁は、その各高さが低音域側で高く、高音域側で低く形成されていることを特徴とする鍵盤装置。
【発明の詳細な説明】
【技術分野】
【０００１】
この発明は、電子ピアノや電子オルガンなどの電子鍵盤楽器の鍵盤装置に関する。
【背景技術】
【０００２】
例えば、電子鍵盤楽器においては、特許文献１に記載されているように、鍵盤シャーシ上に並列に配列された状態でそれぞれ回転支点を中心に上下方向に回転する複数の鍵と、これら複数の鍵の押鍵操作に応じてそれぞれスイッチ動作する複数のスイッチ部と、を備えた構成のものが知られている。
【先行技術文献】
【特許文献】
【０００３】
【特許文献１】特開２０１１−２０３５４３号公報
【０００４】
この種の電子鍵盤楽器は、複数の鍵の音高に応じて各鍵の回転支点から複数のスイッチ部の設置位置を異ならせて、低音域側の鍵タッチ感を重くし、高音域側の鍵タッチ感を軽くする、所謂キースケーリング機能を付与することにより、アコースティックピアノの鍵タッチ感に近似した鍵タッチ感が得られるように構成されている。
【発明の概要】
【発明が解決しようとする課題】
【０００５】
しかしながら、このような電子鍵盤楽器では、複数のスイッチ部の設置位置が複数の鍵の音高に応じて各鍵の回転支点から異なるため、各スイッチ部を押圧する各鍵のスイッチ押圧部を各鍵の音高に応じて異なる位置に設ける必要あり、このため複数の鍵を音高に応じて個別に製作しなければならないという問題がある。
【０００６】
そこで、このような問題を解消するためには、複数の鍵の各スイッチ押圧部を鍵の前後方向に長く形成する必要がある。しかし、スイッチ押圧部を鍵の前後方向に長く形成すると、鍵を成形する際にスイッチ押圧部にヒケが生じ易くなるため、スイッチ押圧部を鍵の前後方向に十分に長く形成することができない。このため、低音域側の鍵タッチ感と高音域側の鍵タッチ感とに十分な差を付けることができないという問題がある。
【０００７】
この発明が解決しようとする課題は、簡単な構造で、鍵タッチ感を音高に応じて良好に変えることができる鍵盤装置を提供することである。
【課題を解決するための手段】
【０００８】
この発明は、鍵盤シャーシと、この鍵盤シャーシ上に並列に配列され、押鍵操作に応じてそれぞれ上下方向に回転する複数の鍵と、これら複数の鍵の押鍵操作に応じてそれぞれ弾性変形してスイッチ動作する複数のスイッチ部と、これら複数のスイッチ部の各弾性変形量を前記複数の鍵が属する音域に応じてそれぞれ規制する複数の変形規制部と、を備えていることを特徴とする鍵盤装置である。
【発明の効果】
【０００９】
この発明によれば、複数の鍵の押鍵操作に応じて複数のスイッチ部がそれぞれ弾性変形してスイッチ動作する際に、複数の変形規制部によって複数のスイッチ部の各弾性変形量を各鍵の音高に応じてそれぞれ規制することができる。これにより、複数の鍵の各鍵荷重を複数の鍵の音高に応じて変えることができるので、簡単な構造で、鍵タッチ感を音高に応じて良好に変えることができる。
【図面の簡単な説明】
【００１０】
【図１】この発明を電子鍵盤楽器に適用した一実施形態において、一部の鍵を取り除いた状態を示した要部の平面図である。
【図２】図１に示された電子鍵盤楽器のＡ−Ａ矢視における要部の拡大断面図である。
【図３】図２に示された電子鍵盤楽器における低音域のスイッチ部付近の要部を示し、（ａ）はその要部の拡大断面図、（ｂ）はそのスイッチ部が鍵のスイッチ押圧部によって押圧されて弾性変形した状態を示した拡大断面図、（ｃ）はその低音域の鍵における押鍵ストロークに対する鍵荷重を示した特性図である。
【図４】図２に示された電子鍵盤楽器における中音域のスイッチ部付近の要部を示し、（ａ）はその要部の拡大断面図、（ｂ）はそのスイッチ部が鍵のスイッチ押圧部によって押圧されて弾性変形した状態を示した拡大断面図、（ｃ）はその中音域の鍵における押鍵ストロークに対する鍵荷重を示した特性図である。
【図５】図２に示された電子鍵盤楽器における高音域のスイッチ部付近の要部を示し、（ａ）はその要部の拡大断面図、（ｂ）はそのスイッチ部が鍵のスイッチ押圧部によって押圧されて弾性変形した状態を示した拡大断面図、（ｃ）はその高音域の鍵における押鍵ストロークに対する鍵荷重を示した特性図である。
【発明を実施するための形態】
【００１１】
以下、図１〜図５を参照して、この発明を電子鍵盤楽器に適用した一実施形態について説明する。
この電子鍵盤楽器は、図１および図２に示すように、楽器ケースの下部ケースを兼ねる鍵盤シャーシ１を備えている。この鍵盤シャーシ１の上部には、複数の鍵２が音高順に並列に配列された状態で、上下方向に回転するように取り付けられている。これら複数の鍵２は、白鍵と黒鍵とを備えている。ただし、この実施形態では、白鍵について説明する。
【００１２】
この鍵２は、図１および図２に示すように、鍵盤シャーシ１上に固定される連結固定部３と、この連結固定部３の前端部（図２では右端部）に形成されたヒンジ部４と、このヒンジ部４の前端部（図２では右端部）に形成された鍵本体部５とを有している。この実施形態においては、ヒンジ部４と鍵本体部５とが合成樹脂によって一体に形成されているように構成されているが、両者が別部材で構成されていても良い。
【００１３】
連結固定部３は、図１に示すように、鍵２の配列方向に沿って連続する帯板状に形成されている。この連結固定部３の前端部（図１では下辺部）には、複数のヒンジ部４を介して複数の鍵本体部５が、並列に配列された状態で、櫛形状に一体に形成されている。また、この連結固定部３は、図２に示すように、鍵盤シャーシ１の後端上部（図２では左端上部）に設けられた鍵支持部６の後部（図２では左側部）上にビス６ａによって固定されている。
【００１４】
ヒンジ部４は、図１および図２に示すように、肉厚の薄い板状の薄肉部であり、連結固定部３の前端部（図２では右端部）から鍵２の前側（図２では右側）に向けて突出し、この状態で鍵本体部５の押鍵操作に応じて上下方向に弾性変形（撓み変形）するように構成されている。鍵本体部５は、ヒンジ部４の前端部から鍵盤シャーシ１の前部の上方に位置する個所に亘って設けられている。
【００１５】
これにより、鍵２は、図２において鍵本体部５が押鍵操作されると、ヒンジ部４が上下方向に弾性変形することにより、鍵本体部５が上下方向に回転移動するように構成されている。この場合、鍵本体部５の後端下部（図２では左端下部）には、ヒンジ規制部７がヒンジ部４の下側に突出して設けられている。このヒンジ規制部７は、図２において鍵本体部５が押鍵操作されてヒンジ部４が弾性変形した際に、ヒンジ規制部７の下端部が鍵盤シャーシ１の鍵支持部６上に当接するように構成されている。
【００１６】
また、鍵２の鍵本体部５の前側内部（図２では右側内部）には、図２に示すように、鍵盤シャーシ１の前部上に起立して設けられた鍵ガイド部８が摺動可能に挿入されている。これにより、鍵２は、押鍵操作された際に、鍵ガイド部８が鍵本体部５内を相対的に上下方向に摺動することにより、鍵２の横振れを防ぐように構成されている。
【００１７】
また、この鍵２の鍵本体部５におけるほぼ中間部には、図２に示すように、鍵２の上下位置を規制するための位置規制部９が下側に突出して設けられている。この位置規制部９は、その下部に突起部９ａが鍵２の後方（図２では左側）に向けて突出して設けられ、この突起部９ａが鍵盤シャーシ１の立上り部１０に設けられた開口部１０ａ内に挿入した状態で、上下方向に移動するように構成されている。
【００１８】
この位置規制部９は、図２に示すように、鍵２の鍵本体部５が押し下げられた際に、位置規制部９の下端が、鍵盤シャーシ１の立上り部１０における開口部１０ａの下部に設けられた下限ストッパ１１に上側から当接するように構成されている。これにより、位置規制部９は、鍵本体部５の下限位置を規制するように構成されている。
【００１９】
また、この位置規制部９は、図２に示すように、押鍵された鍵２が初期位置に復帰する際に、位置規制部９の突起部９ａが、鍵盤シャーシ１の立上り部１０における開口部１０ａの上部に設けられた上限ストッパ１２に下側から当接するように構成されている。これにより、位置規制部９は、鍵本体部５の初期位置である上限位置を規制するように構成されている。
【００２０】
さらに、この鍵２の鍵本体部５には、図２に示すように、鍵盤シャーシ１の基板取付部１３に設けられたスイッチ部材１４のスイッチ部１５を押圧するスイッチ押圧部１６が設けられている。この場合、鍵盤シャーシ１の基板取付部１３は、鍵盤シャーシ１の立上り部１０の後部側（図２では左側）に位置し、その高さが立上り部１０の高さよりも高く形成され、その上方にスイッチ押圧部１６が位置するように形成されている。
【００２１】
スイッチ部材１４は、図１および図２に示すように、鍵盤シャーシ１の基板取付部１３に鍵２の配列方向に沿って連続して設けられている。このスイッチ部材１４は、鍵盤シャーシ１の基板取付部１３の下面に取り付けられたスイッチ基板１７と、このスイッチ基板１７上に取り付けられ、鍵盤シャーシ１の基板取付部１３の上方に突出して鍵２のスイッチ押圧部１６によって押圧されるスイッチ部１５と、を備えている。
【００２２】
スイッチ基板１７は、図１において鍵２の配列方向に沿って連続する帯板状に形成されている。このスイッチ基板１７は、図２に示すように、その前端部（図２では右端部）が鍵盤シャーシ１の基板取付部１３における下面の前端部に設けられた係止部１３ａに係止され、この状態でスイッチ基板１７の後部（図２では左側部）がビス１３ｂによって基板取付部１３の下面に取り付けられている。
【００２３】
スイッチ部１５は、図１および図２に示すように、スイッチ基板１７上に配置されたゴムシート１８を備えている。このゴムシート１８は、スイッチ基板１７の前後方向（図２では左右方向）の長さよりも短い長さ（幅）で、鍵２の配列方向に沿って連続する細長い帯状に形成されている。このゴムシート１８には、複数のドーム部１９が複数の鍵２の各スイッチ押圧部１６にそれぞれ対応して膨出形成されている。
【００２４】
このドーム部１９は、図２に示すように、鍵２のスイッチ押圧部１６で押圧されると、弾性変形すると共に、その弾性復帰力である反発力によって鍵２のスイッチ押圧部１６を押し上げるように構成されている。この場合、ドーム部１９の内部には、スイッチ基板１７の上面に設けられた一対の固定接点１９ａに接離可能に接触する可動接点１９ｂが設けられている。
【００２５】
これにより、スイッチ部１５は、図２に示すように、鍵２のスイッチ押圧部１６によってゴムシート１８のドーム部１９が押圧されて弾性変形すると、ドーム部１９内の可動接点１９ｂがスイッチ基板１７上の一対の固定接点１９ａに接触するように構成されている。これにより、このスイッチ部１５は、スイッチ動作して電気信号を出力するように構成されている。
【００２６】
ところで、鍵盤シャーシ１の基板取付部１３には、図１および図２に示すように、スイッチ部１５のドーム部１９が下側から挿入して上方に突出する複数のスイッチ孔２０が、複数の鍵２の各スイッチ押圧部１６にそれぞれ対応して設けられている。また、この鍵盤シャーシ１の基板取付部１３には、複数のスイッチ部１５の各弾性変形量をそれぞれ規制する複数の変形規制部２１が設けられている。
【００２７】
これら複数の変形規制部２１は、図３〜図５に示すように、複数の鍵２の音高に応じて複数のスイッチ部１５の各弾性変形量をそれぞれ規制するように構成されている。すなわち、複数の変形規制部２１は、複数のスイッチ部１５における各ドーム部１９の周囲に位置する複数のスイッチ孔２０の各内周壁であり、これら各内周壁によって各ドーム部１９の弾性変形量を複数の鍵２の音高に応じてそれぞれ規制するように構成されている。
【００２８】
この場合、複数の変形規制部２１である複数のスイッチ孔２０の各内周壁は、図３〜図５に示すように、その各高さが低音域側で高く、高音域側で低くなるように、つまり各内周壁の高さである上下方向の厚みが低音域側で厚く、高音域側で薄くなるように形成されている。すなわち、複数のスイッチ孔２０の各内周壁は、低音域、中音域、高音域の順で段階的に厚みが薄くなるように形成されている。
【００２９】
例えば、低音域に位置するスイッチ孔２０の内周壁の厚みＴ１は、図３（ａ）に示すように、ドーム部１９の高さの半分よりも少し高い厚みで、基板取付部１３の肉厚Ｔよりも厚く（Ｔ１＞Ｔ）形成されている。これにより、低音域に位置する変形規制部２１は、図３（ｂ）に示すように、ドーム部１９が弾性変形する際に、その変形量を少なく抑えて、押鍵操作時における鍵荷重を重くするように構成されている。
【００３０】
また、中音域に位置するスイッチ孔２０の内周壁の厚みＴ２は、図４（ａ）に示すように、ドーム部１９の高さの半分よりも少し低い厚みで、基板取付部１３の肉厚Ｔと同じ厚み（Ｔ２＝Ｔ＜Ｔ１）で形成されている。これにより、中音域に位置する変形規制部２１は、図４（ｂ）に示すように、ドーム部１９が弾性変形する際に、その変形量が低音域のドーム部１９の変形量よりも多くなるように規制して、押鍵操作時における鍵荷重を低音域の鍵荷重よりも軽くするように構成されている。
【００３１】
さらに、高音域に位置するスイッチ孔２０の内周壁の厚みＴ３は、図５（ａ）に示すように、ドーム部１９の高さの半分よりも大幅に低い厚みで、基板取付部１３の肉厚Ｔよりも薄い厚み（Ｔ３＜Ｔ＝Ｔ２＜Ｔ１）で形成されている。これにより、高音域に位置する変形規制部２１は、図５（ｂ）に示すように、ドーム部１９が弾性変形する際に、その変形量が中音域のドーム部１９の変形量よりも多くなるように規制して、押鍵操作時における鍵荷重を中音域の鍵荷重よりも軽くするように構成されている。
【００３２】
次に、このような電子鍵盤楽器の作用について説明する。
鍵盤シャーシ１上に配列された複数の鍵２の各鍵本体部５を押鍵操作すると、この押鍵操作された鍵２のヒンジ部４が撓み変形して、鍵本体部５がヒンジ部４を中心に回転して押し下げられ、この鍵本体部５のスイッチ押圧部１６がスイッチ部材１４のスイッチ部１５を押圧する。
【００３３】
すると、スイッチ部１５のドーム部１９が弾性変形して、ドーム部１９内の可動接点１９ｂがスイッチ基板１７上の一対の固定接点１９ａに接触する。これにより、スイッチ部１５がスイッチ動作して、電気信号が出力され、この出力された電気信号に基づいて楽音がスピーカ（図示せず）から発音される。
【００３４】
この場合、複数の鍵２のうち、例えば、低音域の鍵２が押鍵操作されて、スイッチ部１５のドーム部１９が弾性変形する際には、図３（ｂ）に示すように、変形規制部２１によってドーム部１９の弾性変形量が規制され、鍵荷重が重くなる。すなわち、低音域の変形規制部２１であるスイッチ孔２０の内周壁の厚みＴ１は、図３（ａ）に示すように、基板取付部１３の肉厚Ｔよりも厚く、かつ中音域および高音域の各厚みＴ２、Ｔ３よりも厚く（Ｔ１＞Ｔ＝Ｔ２＞Ｔ３）形成されている。
【００３５】
このため、低音域に位置するスイッチ部１５のドーム部１９が弾性変形する際には、図３（ｂ）に示すように、低音域に位置する変形規制部２１であるスイッチ孔２０の内周壁によって、ドーム部１９の弾性変形量が少なく抑えられる。これにより、押鍵操作時における低音域の鍵荷重が中音域および高音域の各鍵荷重よりも重くなる。
【００３６】
この場合、低音域の鍵２における鍵本体部５の押鍵ストロークに対する鍵荷重は、図３（ｃ）に示すような特性を示す。すなわち、低音域の鍵２は、低音域の変形規制部２１によってドーム部１９の弾性変形量が中音域および高音域の各弾性変形量よりも少なく抑えられている。
【００３７】
このため、図３（ｃ）に示すように、鍵２の初期荷重Ｗ１が後述する中音域および高音域の各初期荷重Ｗ４、Ｗ６よりも重く（Ｗ１＞Ｗ４＞Ｗ６）なる。この状態で、低音域の鍵２が押鍵操作されてヒンジ部４が撓み変形を開始すると、鍵荷重が徐々に重くなり、鍵２のスイッチ押圧部１６がスイッチ部１５のドーム部１９を押圧すると、鍵荷重が更に重くなる。
【００３８】
そして、鍵２のスイッチ押圧部１６がスイッチ部１５のドーム部１９を弾性変形させて、可動接点１９ｂが一対の固定接点１９ａに接触すると、スイッチ部１５がオン状態になり、楽音の発音を開始する。このときには、図３（ｃ）に示すように、鍵２が押鍵ストロークＳ１に到達し、ドーム部１９が弾性変形するが、その弾性変形量が少なく抑えられる。このため、押鍵ストロークＳ１における鍵荷重Ｗ２が後述する中音域および高音域の各押鍵荷重Ｗ５、Ｗ７よりも重く（Ｗ２＞Ｗ５＞Ｗ７）なる。
【００３９】
この状態で、更に鍵本体部５が押し下げられると、スイッチ部１５のドーム部１９が更に弾性変形して、鍵本体部５の位置規制部９が鍵盤シャーシ１の下限ストッパ１１に当接する。このため、図３（ｃ）に示すように、鍵荷重が更に急激に上昇して、押鍵ストロークＳ２で最大の鍵荷重Ｗ３になり、鍵本体部５の押し下げ動作が停止する。
【００４０】
また、複数の鍵２のうち、例えば、中音域の鍵２が押鍵操作されて、スイッチ部１５のドーム部１９が弾性変形する際には、図４（ｂ）に示すように、変形規制部２１によってドーム部１９の弾性変形量が規制され、鍵荷重が低音域の鍵荷重よりも軽くなる。すなわち、中音域の変形規制部２１であるスイッチ孔２０の内周壁の厚みＴ２は、図４（ａ）に示すように、基板取付部１３の肉厚Ｔと同じ厚みで、かつ低音域の厚みＴ１よりも薄く、高音域の厚みＴ３よりも厚く（Ｔ１＞Ｔ＝Ｔ２＞Ｔ３）形成されている。
【００４１】
このため、中音域に位置するスイッチ部１５のドーム部１９が弾性変形する際には、図４（ｂ）に示すように、中音域に位置する変形規制部２１であるスイッチ孔２０の内周壁によって、ドーム部１９の弾性変形量が低音域のドーム部１９の弾性変形量よりも多く、かつ高音域のドーム部１９の弾性変形量よりも少なく抑えられる。これにより、押鍵操作時における中音域の鍵荷重が低音域よりも軽く、かつ高音域の鍵荷重よりも重くなる。
【００４２】
この場合、中音域の鍵２における鍵本体部５の押鍵ストロークに対する鍵荷重は、図４（ｃ）に示すような特性を示す。すなわち、中音域の鍵２は、中音域の変形規制部２１によってドーム部１９の弾性変形量が低音域のドーム部１９の弾性変形量よりも多く、かつ高音域のドーム部１９の弾性変形量よりも少なく抑えられている。
【００４３】
このため、図４（ｃ）に示すように、鍵２の初期荷重Ｗ４が低音域の初期荷重Ｗ１よりも軽く（Ｗ４＜Ｗ１）、かつ高音域の初期荷重Ｗ６よりも重く（Ｗ４＞Ｗ６）なる。この状態で、中音域の鍵２が押鍵操作されてヒンジ部４が撓み変形を開始すると、鍵荷重が徐々に重くなり、鍵２のスイッチ押圧部１６がスイッチ部１５のドーム部１９を押圧すると、鍵荷重が更に重くなる。
【００４４】
そして、鍵２のスイッチ押圧部１６がスイッチ部１５のドーム部１９を弾性変形させて、可動接点１９ｂが一対の固定接点１９ａに接触すると、スイッチ部１５がオン状態になり、楽音の発音を開始する。このときには、図４（ｃ）に示すように、鍵２が押鍵ストロークＳ１に到達し、ドーム部１９が弾性変形するが、その弾性変形量が低音域のドーム部１９の弾性変形量よりも多く、かつ高音域のドーム部１９の弾性変形量よりも少なく抑えられる。このため、中音域の鍵荷重Ｗ５が低音域の鍵荷重Ｗ２よりも軽く（Ｗ５＜Ｗ２）、かつ高音域の押鍵荷重Ｗ７よりも重く（Ｗ５＞Ｗ７）なる。
【００４５】
この状態で、更に鍵本体部５が押し下げられると、スイッチ部１５のドーム部１９が更に弾性変形して、鍵本体部５の位置規制部９が鍵盤シャーシ１の下限ストッパ１１に当接する。このため、図４（ｃ）に示すように、鍵荷重が更に急激に上昇して、低音域の鍵２と同様、押鍵ストロークＳ２で最大の鍵荷重Ｗ３になり、鍵本体部５の押し下げ動作が停止する。
【００４６】
さらに、複数の鍵２のうち、例えば、高音域の鍵２が押鍵操作されて、スイッチ部１５のドーム部１９が弾性変形する際には、図５（ｂ）に示すように、変形規制部２１によってドーム部１９の弾性変形量が規制され、鍵荷重が中音域の鍵荷重よりも軽くなる。すなわち、高音域の変形規制部２１であるスイッチ孔２０の内周壁の厚みＴ３は、図５（ａ）に示すように、基板取付部１３の肉厚Ｔよりも薄く、かつ低音域および中音域の各厚みＴ１、Ｔ２よりも薄く（Ｔ１＞Ｔ＝Ｔ２＞Ｔ３）形成されている。
【００４７】
このため、高音域に位置するスイッチ部１５のドーム部１９が弾性変形する際には、図５（ｂ）に示すように、高音域に位置する変形規制部２１であるスイッチ孔２０の内周壁によって、ドーム部１９の弾性変形量が低音域および中音域の各弾性変形量よりも多い。これにより、押鍵操作時における高音域の鍵荷重が低音域および中音域の各鍵荷重よりも軽くなる。
【００４８】
この場合、高音域の鍵２における鍵本体部５の押鍵ストロークに対する鍵荷重は、図５（ｃ）に示すような特性を示す。すなわち、高音域の鍵２は、高音域の変形規制部２１によってドーム部１９の弾性変形量が低音域および中音域の各弾性変形量よりも多い。
【００４９】
このため、図５（ｃ）に示すように、鍵２の初期荷重Ｗ６が中音域および低音域の各初期荷重Ｗ４、Ｗ１よりも軽く（Ｗ６＜Ｗ４＜Ｗ１）なる。この状態で、高音域の鍵２が押鍵操作されてヒンジ部４が撓み変形を開始すると、鍵荷重が徐々に重くなり、鍵２のスイッチ押圧部１６がスイッチ部１５のドーム部１９を押圧すると、鍵荷重が更に重くなる。
【００５０】
そして、鍵２のスイッチ押圧部１６がスイッチ部１５のドーム部１９を弾性変形させて、可動接点１９ｂが一対の固定接点１９ａに接触すると、スイッチ部１５がオン状態になり、楽音の発音を開始する。このときには、図５（ｃ）に示すように、鍵２が押鍵ストロークＳ１に到達し、ドーム部１９が弾性変形するが、その弾性変形量が低音域および中音域の各弾性変形量よりも多い。このため、高音域の鍵荷重Ｗ７が中音域および低音域の各押鍵荷重Ｗ５、Ｗ２よりも軽く（Ｗ７＜Ｗ５＜Ｗ２）なる。
【００５１】
この状態で、更に鍵本体部５が押し下げられると、スイッチ部１５のドーム部１９が更に弾性変形して、鍵本体部５の位置規制部９が鍵盤シャーシ１の下限ストッパ１１に当接する。このため、図５（ｃ）に示すように、鍵荷重が更に急激に上昇して、低音域および中音域の各鍵２と同様、押鍵ストロークＳ２で最大の鍵荷重Ｗ３になり、鍵本体部５の押し下げ動作が停止する。
【００５２】
このように、この電子鍵盤楽器によれば、鍵盤シャーシ１と、この鍵盤シャーシ１上に並列に配列され、押鍵操作に応じてそれぞれ上下方向に回転する複数の鍵２と、これら複数の鍵２の押鍵操作に応じてそれぞれ弾性変形してスイッチ動作する複数のスイッチ部１５と、これら複数のスイッチ部１５の各弾性変形量を複数の鍵の音高に応じてそれぞれ規制する複数の変形規制部２１と、を備えていることにより、簡単な構造で、鍵タッチ感を音高に応じて良好に変えることができる。
【００５３】
すなわち、この電子鍵盤楽器では、複数の鍵２の押鍵操作に応じて複数のスイッチ部１５がそれぞれ弾性変形してスイッチ動作する際に、複数の変形規制部２１によって複数のスイッチ部１５の各弾性変形量を各鍵２の音高に応じてそれぞれ規制することができる。これにより、複数の鍵２の各鍵荷重を複数の鍵２の音高に応じて変えることができるので、簡単な構造で、鍵タッチ感を音高に応じて良好に変えることができる。
【００５４】
この場合、複数のスイッチ部１５は、弾性変形可能な複数のドーム部１９を有し、これら複数のドーム部１９が鍵盤シャーシ１の基板取付部１３に取り付けられたスイッチ基板１７上に複数の鍵２それぞれに対応して設けられていることにより、押鍵操作された鍵２によってスイッチ部１５のドーム部１９を確実にかつ良好に弾性変形させることができ、これにより複数の鍵２の押鍵操作に応じて良好にスイッチ動作させることができる。
【００５５】
すなわち、スイッチ部１５のドーム部１９は、ゴムシート１８を膨出形成し、このドーム部１９内に可動接点１９ｂが設けられ、この可動接点１９ｂがスイッチ基板１７上の一対の固定接点１９ａに接離可能に接触する構成であるから、鍵２が押鍵操作された際に、鍵２のスイッチ押圧部１６によってドーム部１９を確実にかつ良好に弾性変形させることができ、これにより可動接点１９ｂを一対の固定接点１９ａに接触させることができるので、確実にスイッチ動作させることができる。
【００５６】
この場合、ゴムシート１８は、複数の鍵２の配列方向に沿って長い帯状に形成され、この帯状のゴムシート１８に複数のスイッチ部１５の各ドーム部１９が複数の鍵２それぞれに対応して膨出形成されているので、複数のスイッチ部１５の各ドーム部１９を一度に製作することができ、これにより生産性の向上を図り、低コスト化を図ることができる。
【００５７】
また、複数の変形規制部２１は、複数のスイッチ部１５における各ドーム部１９の周囲に設けられているので、各ドーム部１９の弾性変形量を確実にかつ良好に規制することができると共に、複数の変形規制部２１が各ドーム部１９の弾性変形量を複数の鍵２の音高に応じてそれぞれ規制することができ、これにより各鍵２に付与される鍵荷重を複数の鍵２の音高に応じて良好に変えることができる。
【００５８】
この場合、鍵盤シャーシ１には、複数のスイッチ部１５がそれぞれ挿入されて配置される複数のスイッチ孔２０が設けられており、複数の変形規制部２１は、複数のスイッチ孔２０の各内周壁であることにより、各ドーム部１９の弾性変形量を確実にかつ良好に規制することができるほか、変形規制部２１を別部品として製作する必要がない。
【００５９】
このため、鍵盤シャーシ１にスイッチ孔２０を設けるだけで、変形規制部２１を簡単にかつ容易に形成することができるので、変形規制部２１の構造が極めて簡単で、容易に製作することができ、このため部品点数が増えることがなく、最小限の部品で済ませることができ、これによっても低コスト化を図ることができる。
【００６０】
また、複数のスイッチ孔２０の各内周壁は、その各高さである上下方向の各厚みが低音域側で厚く、高音域側で薄く形成されていることにより、低音域側の各ドーム部１９の弾性変形量を少なく抑えることができ、これにより低音域側の鍵２の各鍵荷重を重くすることができ、また高音域側の各ドーム部１９の弾性変形量を低音域側の各ドーム部１９の弾性変形量よりも多くすることができ、これにより高音域側の各鍵荷重を低音域側の各鍵荷重よりも軽くすることができる。
【００６１】
この場合、複数の変形規制部２１である複数のスイッチ孔２０における各内周壁の高さである上下方向の厚みは、低音域の厚みＴ１が鍵盤シャーシ１の基板取付部１３の肉厚Ｔよりも厚く、中音域の厚みＴ２が基板取付部１３の肉厚Ｔと同じ厚みで、高音域の厚みＴ３が基板取付部１３の肉厚Ｔよりも薄く形成されていることにより、低音域から高音域に向かうに従って、段階的にドーム部１９の弾性変形量を多くすることができる。
【００６２】
すなわち、低音域のドーム部１９の弾性変形量を中音域および高音域の各弾性変形量よりも少なく抑えることができ、中音域のドーム部１９の弾性変形量を低音域のドーム部１９の弾性変形量よりも多く、かつ高音域の弾性変形量よりも少なくすることができ、さらに高音域のドーム部１９の弾性変形量を中音域のドーム部１９の各弾性変形量よりも更に多くすることができる。
【００６３】
これにより、低音域の鍵荷重を中音域および高音域の各鍵荷重よりも重くすることができ、また中音域の鍵荷重を低音域の鍵荷重よりも軽く、かつ高音域の鍵荷重よりも重くすることができ、さらに高音域の鍵荷重を低音域および中音域の各鍵荷重よりも軽くすることができ、これによりキースケーリング機能を良好に確保することができるので、アコースティックピアノの鍵タッチ感に近似した鍵タッチ感を得ることができる。
【００６４】
なお、上述した実施形態では、スイッチ部１５のドーム部１９がゴムシート１８を膨出形成した構成である場合について述べたが、ゴムシート１８として、ウレタン樹脂、シリコーン樹脂、エラストマーなどの弾力性を有する合成樹脂を用いて、ドーム部１９を形成した構成であっても良い。
【００６５】
また、上述した実施形態では、低音域、中音域、高音域ごとに段階的に変形規制部２１の厚みを変えた場合について述べたが、これに限らず、各鍵２ごとに変形規制部２１の厚みを徐々に変えるように構成しても良い。
【００６６】
また、上述した実施形態では、鍵盤シャーシ１の基板取付部１に設けられた複数のスイッチ孔２０の各内周面の高さである上下方向の厚みを音高に応じて変えた場合について述べたが、これに限らず、複数のスイッチ孔２０の各内周面にテーパ部を設け、このテーパ部の傾斜角度を音高に応じて変えた構成であっても良い。この場合にも、複数のスイッチ孔２０の各内周面に設けられたテーパ部の傾斜角度に応じて、ドーム部１９の弾性変形量を変えることができるので、上述した実施形態と同様の作用効果がある。
【００６７】
さらに、上述した実施形態では、鍵盤シャーシ１の基板取付部１に複数のスイッチ孔２０を設け、これら複数のスイッチ孔２０の各内周面によってドーム部１９の弾性変形量を規制する各変形規制部２１を構成した場合について述べたが、これに限らず、例えば変形規制板を鍵２の配列方向に長い帯板状に形成し、この変形規制板に複数のスイッチ孔２０を各鍵２に対応させて設け、これら複数のスイッチ孔２０の各内周面によってドーム部１９の弾性変形を規制する各変形規制部２１を構成しても良い。
【００６８】
この場合には、鍵盤シャーシ１の基板取付部１３の上面にスイッチ基板１７を取り付け、このスイッチ基板１７上にゴムシート１８を配置し、このゴムシート１８上に変形規制板を設ける際に、変形規制板の各スイッチ孔２０にゴムシート１８の各ドーム部１９を挿入させて配置すれば良い。
【００６９】
なおまた、上述した実施形態の鍵２は、鍵本体部５の後端部に撓み変形可能なヒンジ部４を設け、このヒンジ部４を連結固定部３に連結形成し、この連結固定部３を鍵盤シャーシ１の鍵支持部６にビス６ａによって取り付けた構成である場合について述べたが、これに限らず、鍵盤シャーシ１の鍵支持部６に取付軸を設け、鍵本体部５の後端部に軸孔を有する回転取付部を形成し、この回転取付部の軸孔に鍵支持部６の取付軸を挿入させ、この鍵支持部６の取付軸を中心に、鍵２が上下方向に回転する構成であっても良い。
【００７０】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００７１】
（付記）
請求項１に記載の発明は、鍵盤シャーシと、前記鍵盤シャーシ上に並列に配列され、押鍵操作に応じてそれぞれ上下方向に回転する複数の鍵と、前記複数の鍵の押鍵操作に応じてそれぞれ弾性変形してスイッチ動作する複数のスイッチ部と、前記複数のスイッチ部の各弾性変形量を前記複数の鍵が属する音域に応じてそれぞれ規制する複数の変形規制部と、を備えていることを特徴とする鍵盤装置である。
【００７２】
請求項２に記載の発明は、請求項１に記載の鍵盤装置において、前記複数のスイッチ部は、弾性変形可能な複数のドーム部を有し、前記複数のドーム部が前記鍵盤シャーシに取り付けられたスイッチ基板上に前記複数の鍵それぞれに対応して設けられていることを特徴とする鍵盤装置である。
【００７３】
請求項３に記載の発明は、請求項２に記載の鍵盤装置において、前記複数のスイッチ部における前記各ドーム部の周囲には、前記複数の変形規制部が前記複数の鍵が属する音域に応じてそれぞれ設けられていることを特徴とする鍵盤装置である。
【００７４】
請求項４に記載の発明は、請求項１〜請求項３のいずれかに記載の鍵盤装置において、前記鍵盤シャーシには、前記複数のスイッチ部がそれぞれ挿入されて配置される複数のスイッチ孔が設けられており、前記複数の変形規制部は、前記複数のスイッチ孔の各内周壁であることを特徴とする鍵盤装置である。
【００７５】
請求項５に記載の発明は、請求項４に記載の鍵盤装置において、前記複数のスイッチ孔の前記各内周壁は、その各高さが低音域側で高く、高音域側で低く形成されていることを特徴とする鍵盤装置である。
【符号の説明】
【００７６】
１  鍵盤シャーシ
２  鍵
４  ヒンジ部
５  鍵本体
１３  基板取付部
１４  スイッチ部材
１５  スイッチ部
１６  スイッチ押圧部
１７  スイッチ基板
１８  ゴムシート
１９  ドーム部
２０  スイッチ孔
２１  変形規制部
【図１】
2015172678.tif 000003
【図２】
2015172678.tif 000004
【図３】
2015172678.tif 000005
【図４】
2015172678.tif 000006
【図５】
2015172678.tif 000007